(57)【要約】【課題】患者の食事時間に対応して薬の服用を報知する。【解決手段】患者は自分用のＩＣカード１０に通常の３食の食事時間帯（例えば朝食は８時から８時３０分）を記憶させる。調剤薬局等はＩＣカード１０に格納されている処方箋データに基づいて調剤し、調剤した薬の用法・容量をＩＣカード１０に記憶させる。薬服用報知装置２０内の制御部２１は、カードインタフェース（カードＩ／Ｆ）を介してＩＣカード１０から食事時間帯及び用法・容量を読み出し、食事時間帯から服用時刻を求める。例えば朝食後３０分に服用する薬があり、患者の朝食時間帯で８時から８時３０分であれば、９時を服用時刻とする。制御部２１は９時になった時点で報知部２８を駆動し、音や光で薬服用を報知する。制御部２１は服用する薬の名前、薬の形状、用量、注意事項等を表示部２６に表示させる。【選択図】図３
2005124991.tif 000002
【特許請求の範囲】
【請求項１】
患者を特定する情報と、薬の種類、用法及び用量の情報と、食事時間帯の情報とを記憶する領域を備えることを特徴とする可搬型記憶媒体。
【請求項２】
前記食事時間帯の情報は曜日に依存することを特徴とする請求項１記載の可搬型記憶媒体。
【請求項３】
可搬型記憶媒体に食事時間帯の情報を書き込む書込手段と、
前記可搬型記憶媒体から記憶されている薬の用法の内の薬を飲む時の情報及び前記食事時間帯の情報を読み出す読出手段と、
該読出手段によって読み出した前記薬を飲む時の情報及び前記食事時間帯の情報とから薬の服用時刻を演算する演算手段と、
該演算手段によって演算した服用時刻に薬の服用を促す報知をする報知手段と
を備えることを特徴とする薬服用報知装置。
【発明の詳細な説明】
【技術分野】
【０００１】
本発明は、薬の用法・用量等と患者個人の食事時間帯の情報が記録されるＩＣカード等の可搬型記憶媒体、及び、患者の食事時間に対応した薬の服用時刻に薬の服用を報知する薬服用報知装置に関する。
【背景技術】
【０００２】
薬の服用時刻を予め設定しておくことで、設定した服用時刻に薬の服用を報知するようにした装置は従来から知られている（例えば、特許文献１〜４参照）。しかしながら、服用時刻の入力は煩雑であり、入力ミスも懸念される。
【０００３】
そこで、薬の服用スケジュールを記憶した記憶媒体が着脱可能なインタフェースと、時間を計測するタイマーと、記憶媒体に記憶された薬の服用スケジュールとタイマーにより計測された時間とに基づいて薬の服用を報知する報知手段とを備えた携帯型薬服用報知装置が提案されている。記憶媒体には、患者名、薬剤名、服用年月日、服用時間が記録されており、この記憶媒体は薬剤部門で薬とともに患者等に渡される（例えば、特許文献５参照）。
【０００４】
また、患者個人のメモリカード（ＩＣカード）に書き込まれている処方箋のデータに基づき処方箋に応じた薬剤の使用方法に関するデータを読み出し、薬剤の服用時間になったことを知らせるようにした医療システムの端末装置が提案されている（例えば、特許文献６参照）。
【特許文献１】特開２００１−１９８１９５号公報
【特許文献２】特開２００１−１４１８５８号公報
【特許文献３】特開２０００−２１７８８８号公報
【特許文献４】特開平９−２５３１７２号公報
【特許文献５】特開２００３−２３０６２０号公報
【特許文献６】特開２０００−９９６０８号公報
【発明の開示】
【発明が解決しようとする課題】
【０００５】
薬を飲む時は、例えば食前３０分、食後３０分というように食事を基準に指定されることが多い。食事時間は患者によって異なる。このため、食前，食後等の用法データがＩＣカード等に記録されていても、個々の患者の食事時間帯に対応した時刻に服用を報知することができない。
【０００６】
本発明はこのような課題を解決するためなされたもので、個々の患者の食事時間に対応した時刻に薬の服用を報知できるようにした可搬型記憶媒体及び薬服用報知装置を提供することを目的とする。
【課題を解決するための手段】
【０００７】
本発明の可搬型記憶媒体は、患者を特定する情報と、薬の種類、用法及び用量の情報と、食事時間帯の情報とを記憶する領域を備える。
【０００８】
また、前記食事時間帯の情報は曜日に依存することで、曜日によって食事時間帯が異なっても対応できる。
【０００９】
また、本発明の薬服用報知装置は、可搬型記憶媒体に食事時間帯の情報を書き込む書込手段と、前記可搬型記憶媒体から記憶されている薬の用法の内の薬を飲む時の情報及び前記食事時間帯の情報を読み出す読出手段と、該読出手段によって読み出した前記薬を飲む時の情報及び前記食事時間帯の情報とから薬の服用時刻を演算する演算手段と、該演算手段によって演算した服用時刻に薬の服用を促す報知をする報知手段とを備える。
【発明の効果】
【００１０】
本発明に係る可搬型記憶媒体は、薬を飲む時（例えば食後）と患者の食事時間帯（例えば朝食は８時〜８時半）とを記憶するので、患者の食事時間に対応した服用時刻を報知することが可能となる。
【００１１】
本発明に係る薬服用報知装置は、患者の食事時間に対応した時刻に薬の服用を促す報知をすることができる。
【発明を実施するための最良の形態】
【００１２】
以下、添付図面を参照しながら本発明の好適な実施の形態について詳細に説明する。
【００１３】
図１は、本発明の一実施の形態による可搬型記憶媒体を用いる処方管理システムの全体構成を示す図である。患者は可搬型記憶媒体としてのＩＣカードを持って病院へ行き、診察を受ける。病院は、患者のＩＣカードに処方箋データを書き込み。患者は、処方箋データが記録されたＩＣカードを持って薬局へ行く。薬局は、ＩＣカードから処方箋データを読み出して調剤する。薬局は、用法、用量等をＩＣカードに記録する。患者は帰宅し、ＩＣカードを薬服用報知装置（図３参照）にセットすることで、飲み方、スケジュール、薬情報を確認する。この処方管理システムは、一人に一枚のＩＣカードを用意しているので、薬の重複チェックや飲み合せによる副作用の発見がしやすくなる。薬局はサーバ、ネットワーク等の大規模なシステムが必要なく、安価で構築が可能である。ネットワークにデータが流れないために外部に薬歴や病歴が漏れるリスクが少ない。
【００１４】
図２は、本実施の形態による可搬型記憶媒体に記録される情報を示す図である。ＩＣカード１０のメモリ領域には、患者の氏名、性別、生年月日、住所、電話番号等の患者を特定するデータ１０１、病院名、医師名等を含む診察データ１０２、病院名、医師名等を含む処方箋データ１０３、薬の種類（名称）、用法・用量データ１０４、薬の説明データ１０５、薬局、薬剤師データ１０６、患者の食事時間帯データ１０７、患者の就寝時刻データ１０８、アレルギー歴データ１０９，副作用歴データ１１０、体温データ１１１、特記データ１１２等が記憶される。薬の種類（名称）、用法・用量データ１０４には食後３０分などのその薬の服用時データが含まれる。
【００１５】
診察データ１０２、処方箋データ１０３、薬の種類（名称）、用法・用量データ１０４、薬の説明データ１０５、アレルギー歴データ１０９、及び副作用歴データ１１０は、原則として病院で書き込む。薬局、薬剤師データ１０６は、原則として薬局で書き込む。患者を特定するデータ１０１、食事時間帯データ１０７、就寝時刻データ１０８、及び体温データ１１１は、原則として薬服用報知装置を用いて患者が自ら書き込む。ただし、患者の申告によって患者を特定するデータ１０１、食事時間帯データ１０７及び就寝時刻データ１０８を病院や薬局で書き込んでもよい。体温データ１１１には血圧等のデータも記録されていてもよい。各データには、記録を行った日時データが含まれている。
【００１６】
ＩＣカード１０は、接触型、非接触型のいずれであってもよい。なお、メモリカード、メモリスティック、光カード等の各種可搬型記録媒体に上記の各種データを記憶させるようにしてもよい。
【００１７】
図３は、本実施の形態による薬服用報知装置の構成を示すブロック図である。薬服用報知装置２０は、マイクロコンピュータシステムを用いて構成しており、制御部（ＣＰＵ）２１と、制御プログラムが格納されるＲＯＭ２２、作業エリアとして使用されるＲＡＭ２３と、ＩＣカード１０からの読み出し及びＩＣカード１０への書き込みを行うカードインタフェース部（カードＩ／Ｆ部）２４と、入力操作を行う入力部２５と、各種の入力画面や薬服用に関する各種の情報を画像表示する表示部２６と、カレンダー機能付きの時計部２７と、薬の服用を音及び／又は光で報知する報知部２８と、図示しない電源部とからなる。薬服用報知装置２０は、電子手帳装置や携帯電話装置等を利用して構成してもよい。薬服用報知装置２０とＩＣカード１０などの可搬型記憶媒体は、電波や赤外線などの短距離通信手段を使って書き込み／読み出しするものでもよい。
【００１８】
制御部２１は、カードＩ／Ｆ部２４を介してＩＣカード１０から患者の氏名を読み出すと、氏名を表示部２６に表示させる。制御部２１は、ＩＣカード１０に食事時間帯データ１０７及び就寝時刻データ１０８が登録されているかチェックし、登録されていない場合には、それらの入力を促す画面を表示部２６に表示させる。制御部２１は、３食の食事についてそれぞれの開始時刻、終了時刻が入力され、また、就寝時刻が入力されると、登録の確認画面を表示させ、登録確認の操作入力がなされると、それらのデータをカードＩ／Ｆ部２４を介してＩＣカード１０に書き込ませる。登録した内容は、登録内容確認操作を行うことで確認したり、変更したりできる。なお、日付や曜日毎に食事時間帯及び就寝時刻を設定できるようにしてもよい。
【００１９】
制御部２１は、ＩＣカード１０から用法・用量データ１０４を読み出し、現在服用すべき薬があるかチェックする。制御部２１は、服用すべき薬がない場合はその旨を表示部２６に表示させる。
【００２０】
図４は、本実施の形態による薬服用報知装置の今日の薬の予定の表示画面を示す図である。制御部２１は、服用すべき薬がある場合は、図４に示す今日の薬の予定の表示画面を生成し、表示部２６に表示させる。表示部２６の下側には、表示される文字の大小を切り替えるスイッチ、表示を左右上下にスクロールするスイッチ、表示内容を切り替えるスイッチ等が設けられている。なお、これらのスイッチは、透明タッチパネル式の構成としてもよい。
【００２１】
図５は、本実施の形態による薬服用報知装置の１週間の薬の予定の表示画面を示す図である。制御部２１は、表示切り替え操作がなされると、図５に示す１週間の薬の予定の表示画面を生成し、表示部２６に表示させる。
【００２２】
図６は、本実施の形態による薬服用報知装置の薬の残りの表示画面を示す図である。制御部２１は、表示切り替え操作がなされると、図６に示す薬の残りの表示画面を生成し、表示部２６に表示させる。
【００２３】
図７は、本実施の形態による薬服用報知装置の薬のはたらきの表示画面を示す図である。制御部２１は、表示切り替え操作がなされると、図７に示す薬のはたらきの表示画面を生成し、表示部２６に表示させる。なお、表示部２６に表示する内容を順次切り替えるのではなく、表示画面選択メニューを表示して任意の表示画面を選択指定できるようにしてもよい。
【００２４】
制御部２１は、ＩＣカード１０から患者の食事時間帯及び就寝時刻を読み出す。制御部２１は、用法・用量データ１０４で指定されている食前、食後、就寝前等の薬を飲む時と患者の食事時間帯及び就寝時刻とから患者が薬を飲む時刻を演算する。例えば、朝食後３０分に服用する薬があり、患者の朝食時間帯が８時〜８時３０分である場合、患者が薬を服用する時刻を９時と演算する。そして、制御部２１は、９時になった時点で報知部２８を介して薬の服用を報知する。報知部２８は、音声メッセージや音楽等を出力する報知音出力部と、閃光（フラッシュライト）等を発生する報知光出力部とを備え、薬を飲む時間であることを音及び／又は光で知らせる。
【００２５】
図８は、本実施の形態による薬服用報知装置の時間がきたときのお知らせの表示画面を示す図である。さらに、制御部２１は、図８に示す時間がきたときのお知らせの表示画面を生成し、表示部２６に表示させる。患者は、表示画面を見ることで、服用する薬と容量及び注意事項を確認することができる。
【００２６】
患者は薬を服用すると薬服用報知装置２０の服用確認キーを操作する。制御部２１は、服用確認キーが操作されると服用日時をＩＣカード１０に書き込む。これにより、薬の服用履歴及び残量管理が可能となる。制御部２１は、薬の服用を報知した時点から所定時間（例えば数分）が経過しても服用確認キーが操作されない場合には、服用報知を繰り返す。制御部２１は、最初の報知時点から例えば３０分が経過しても服用確認キーが操作されない場合は、服用されなかったものと判断し、その旨をＩＣカード１０に書き込む。
【００２７】
薬服用報知装置２０は、体温や血圧等を記録する機能を備えている。患者は、メニュー画面等から体温等を入力する画面を選択し、体温や血圧等の測定結果を入力する。入力された体温や血圧等のデータは、入力日時との対応が付けられてＩＣカード１０に記録される。また、薬服用報知装置２０は、ＩＣカード１０に記録されている体温や血圧等と表形式やグラフ形式で表示させることができる。
【図面の簡単な説明】
【００２８】
【図１】本発明の一実施の形態による可搬型記憶媒体を用いる処方管理システムの全体構成を示す図である。
【図２】本実施の形態による可搬型記憶媒体に記録される情報を示す図である。
【図３】本実施の形態による薬服用報知装置の構成を示すブロック図である。
【図４】本実施の形態による薬服用報知装置の今日の薬の予定の表示画面を示す図である。
【図５】本実施の形態による薬服用報知装置の１週間の薬の予定の表示画面を示す図である。
【図６】本実施の形態による薬服用報知装置の薬の残りの表示画面を示す図である。
【図７】本実施の形態による薬服用報知装置の薬のはたらきの表示画面を示す図である。
【図８】本実施の形態による薬服用報知装置の時間がきたときのお知らせの表示画面を示す図である。
【符号の説明】
【００２９】
１０  ＩＣカード
２０  薬服用報知装置
２１  制御部（ＣＰＵ）（演算部）
２４  カードインタフェース（カードＩ／Ｆ）
２５  入力部
２６  表示部
２７  時計部
２８  報知部
【図１】
2005124991.tif 000003
【図２】
2005124991.tif 000004
【図３】
2005124991.tif 000005
【図４】
2005124991.tif 000006
【図５】
2005124991.tif 000007
【図６】
2005124991.tif 000008
【図７】
2005124991.tif 000009
【図８】
2005124991.tif 000010